(57)【要約】【課題】血液の圧力を正確に認識することができる、圧力測定部を有する血液回路を提供する。【解決手段】圧力測定部は、チャンバを規定するハウジング１０１と、チャンバに設けられる可撓性膜とを備え、前記ハウジングは、前記チャンバに連通する入口ポート１１１および出口ポート１１２を有し、前記入口ポート１１１、前記チャンバおよび前記出口ポート１１２の順に血液が流れ、前記チャンバの血液の圧力に応じて前記可撓性膜が変位し、可撓性膜の変位に応じて前記チャンバ内の圧力を表示する表示部としての目盛１３９を備える。【選択図】図２
2017038803.tif 000002
【特許請求の範囲】
【請求項１】
圧力測定部を有する血液回路であって、
前記圧力測定部は、チャンバを規定するハウジングと、前記チャンバに設けられる可撓性膜とを備え、
前記ハウジングは、前記チャンバに連通する入口および出口ポートを有し、前記入口ポート、前記チャンバおよび前記出口ポートの順に血液が流れ、前記チャンバの血液の圧力に応じて前記可撓性膜が変位し、さらに、
前記可撓性膜の変位に応じて前記チャンバ内の圧力を表示する表示部を備えた、圧力測定部を有する血液回路。
【請求項２】
前記可撓性膜は、血液が通過する血液室と圧力測定用の空気が存在する空気室とを区画している請求項１に記載の圧力測定部を有する血液回路。
【請求項３】
前記空気室の体積は０．５ｃｍ３以上である請求項２に記載の圧力測定部を有する血液回路。
【請求項４】
前記表示部は、前記チャンバ内の圧力を示す目盛りを有する、請求項１から３のいずれかに記載の圧力測定部を有する血液回路。
【請求項５】
前記表示部は、前記ハウジングに設けられる、請求項１から４のいずれかに記載の圧力測定部を有する血液回路。
【請求項６】
前記表示部は、前記可撓性膜に設けられる、請求項１から５のいずれかに記載の圧力測定部を有する血液回路。
【請求項７】
前記表示部は、段差形状を有する、請求項６に記載の圧力測定部を有する血液回路。
【請求項８】
圧力測定部を有する血液回路であって、
前記圧力測定部は、チャンバを規定する可撓性のハウジングを備え、
前記ハウジングは、前記チャンバに連通する入口および出口ポートを有し、前記入口ポート、前記チャンバおよび前記出口ポートの順に血液が流れ、前記チャンバの血液の圧力に応じて前記ハウジングが変位し、さらに、
前記ハウジングの変位に応じて前記チャンバ内の圧力を表示する表示部を備えた、圧力測定部を有する血液回路。
【請求項９】
前記ハウジングは、第一部分、および前記第一部分より変形にくい第二部分を有し、前記チャンバ内の圧力が変化すると、前記第一部分は前記第二部分よりも先に変形する、請求項８に記載の圧力測定部を有する血液回路。
【請求項１０】
前記可撓性のハウジングは、外面および/または内面に形成された略環状の複数のリブを有し、複数の前記リブは高さ方向に配列される、請求項８または９に記載の圧力測定部を有する血液回路。
【請求項１１】
前記可撓性のハウジングは、高さ方向下方に従い、肉厚が大きくなるように形成されている、請求項８から１０のいずれか１項に記載の圧力測定部を有する血液回路。
【発明の詳細な説明】
【技術分野】
【０００１】
この発明は圧力測定部を有する血液回路に関するものである。
【背景技術】
【０００２】
従来、血液回路は、たとえば特開２０１３−６６５３８号公報（特許文献１）に開示されている。
【先行技術文献】
【特許文献】
【０００３】
【特許文献１】特開２０１３−６６５３８号公報
【発明の概要】
【発明が解決しようとする課題】
【０００４】
従来の血液回路では、血液の圧力を正確に認識することが困難であるという問題があった。
【０００５】
そこで、この発明は上記の問題点を解決するためになされたものであり、圧力を正確に認識することが可能な血液回路を得ることを目的とするものである。
【課題を解決するための手段】
【０００６】
この発明の１つの局面に従った血液回路は、圧力測定部を有する。圧力測定部は、チャンバを規定するハウジングと、チャンバに設けられる可撓性膜とを備え、ハウジングは、チャンバに連通する入口および出口ポートを有し、入口ポート、チャンバおよび出口ポートの順に血液が流れ、チャンバの血液の圧力に応じて可撓性膜が変位し、さらに、可撓性膜の変位に応じてチャンバ内の圧力を表示する表示部を備える。
【０００７】
このように構成された圧力測定部を有する血液回路では、可撓性膜の変位と表示部を視認することで、チャンバ内の血液の圧力を正確に認識することができる。
【０００８】
好ましくは、可撓性膜は、血液が通過する血液室と圧力測定用の空気が存在する空気室とを区画する。
【０００９】
このように構成された圧力測定部を有する血液回路では、可撓性膜が血液室側に変位する陰圧状態となった場合に、空気室内の空気の膨張が期待でき、それ故、陰圧に応じた膜の大きな変位が期待できる。圧に応じた膜の大きな変位が期待できるため、使用者は目視で確認しやすくなる。
【００１０】
好ましくは、空気室の体積は０．５ｃｍ３以上である。
好ましくは、表示部は、チャンバ内の圧力を示す目盛を有する。
【００１１】
好ましくは、表示部は、ハウジングに設けられる。
好ましくは、表示部は、可撓性膜に設けられる。
【００１２】
好ましくは、表示部は、段差形状を有する。
この発明の別の局面に従った血液回路は、圧力測定部を有する血液回路であって、圧力測定部は、チャンバを規定する可撓性のハウジングを備え、ハウジングは、チャンバに連通する入口および出口ポートを有し、入口ポート、チャンバおよび出口ポートの順に血液が流れ、チャンバの血液の圧力に応じてハウジングが変位し、さらに、ハウジングの変位に応じてチャンバ内の圧力を表示する表示部を備える。
【００１３】
好ましくは、ハウジングは、第一部分、および第一部分より変形にくい第二部分を有し、チャンバ内の圧力が変化すると、第一部分は第二部分よりも先に変形する。
【００１４】
好ましくは、可撓性のハウジングは、外面および/または内面に形成された略環状の複数のリブを有し、複数のリブは高さ方向に配列される。
【００１５】
好ましくは、可撓性のハウジングは、高さ方向下方に従い、肉厚が大きくなるように形成されている。
【００１６】
このように構成された圧力測定部を有する血液回路では、ハウジングの変位と表示部を視認することで、チャンバ内の血液の圧力を正確に認識することができる。
【図面の簡単な説明】
【００１７】
【図１】従来の形態に従った圧力測定部が用いられる一般的な血液回路の模式図である。
【図２】実施の形態１に従った圧力測定部の正面図である。
【図３】実施の形態１に従った圧力測定部の側面図である。
【図４】実施の形態１に従った圧力測定部の内部構造を示す正面図である。
【図５】実施の形態１に従った圧力測定部の内部構造を示す側面図である。
【図６】実施の形態１に従った圧力測定部の平面図である。
【図７】図６中のＶＩＩ−ＶＩＩ線に沿った断面図である。
【図８】実施の形態１に従った圧力測定部の底面図である。
【図９】実施の形態２に従った圧力測定部で用いられる可撓性膜の正面図である。
【図１０】実施の形態２に従った圧力測定部で用いられる可撓性膜の平面図である。
【図１１】図１０中のＸＩ−ＸＩ線に沿った断面図である。
【図１２】実施の形態２に従った圧力測定部で用いられる可撓性膜の斜視図である。
【図１３】実施の形態３に従った圧力測定部の正面図である。
【図１４】実施の形態３に従った圧力測定部の側面図である。
【図１５】実施の形態３に従った圧力測定部の内部構造を示す正面図である。
【図１６】実施の形態３に従った圧力測定部の内部構造を示す側面図である。
【図１７】実施の形態３に従った圧力測定部の平面図である。
【図１８】図１７中のＸＶＩＩＩ−ＸＶＩＩＩ線に沿った断面図である。
【図１９】実施の形態４に従った圧力測定部の正面図である。
【図２０】実施の形態４に従った圧力測定部の内部構造を示す正面図である。
【図２１】実施の形態４に従った圧力測定部の平面図である。
【図２２】図２１中のＸＸＩＩ−ＸＸＩＩ線に沿った断面図である。
【図２３】実施の形態５に従った圧力測定部で用いられるピローの正面図である。
【図２４】図２３中のＸＸＩＶ−ＸＸＩＶ線に沿った断面図である。
【図２５】図２３で示すピローの平面図である。
【図２６】図２３で示すピローの斜視図である。
【図２７】実施の形態５に従った圧力測定部の斜視図である。
【図２８】実施の形態５に従った圧力測定部の正面図である。
【図２９】図２８中のＸＸＩＸ−ＸＸＩＸ線に沿った断面図である。
【図３０】実施の形態５に従った圧力測定部の底面図である。
【図３１】実施の形態５に従った圧力測定部の内部構造を示す底面図である。
【図３２】実施の形態６に従った圧力測定部の正面図である。
【図３３】実施の形態６に従った圧力測定部の内部構造を示す正面図である。
【図３４】実施の形態６に従った圧力測定部の背面図である。
【図３５】図３４中のＸＸＸＶ−ＸＸＸＶ線に沿った断面図である。
【図３６】実施の形態７に従ったピローの断面図である。
【発明を実施するための形態】
【００１８】
以下、この発明の実施の形態について、図面を参照して説明する。以下の実施の形態では同一または相当する部分については同一の参照符号を付し、その説明については繰り返さない。また、各実施の形態を組み合わせることも可能である。
【００１９】
（実施の形態１）
図１は従来から用いられている一般的血液回路図である。血液回路は、血液を患者から取り出すための血液導入口１、血液導入口１に接続される脱血圧測定部位２、脱血圧測定部位２の血圧を測定する圧力トランスデューサー３、脱血圧測定部位２から排出された血液を加圧する血液ポンプ４、血液ポンプ４の下流側に位置するＰＤ圧測定部位５、ＰＤ(Pre-dialyzer)圧測定部位５の血圧を測定する圧力トランスデューサー６、ＰＤ圧測定部位５から排出された血液を、ダイアライザー血液導入口７ａを経て受け入れるダイアライザー８、ダイアライザー８のダイアライザー血液導出口７ｂの下流側に位置する静脈圧測定部位１１、静脈圧測定部位１１の血圧を測定する圧力トランスデューサー１２、血液を患者に戻すための血液導出口１３を有する。本願における圧力測定部は、図１における脱血圧測定部位２、ＰＤ(Pre-dialyzer)圧測定部位５、静脈圧測定部位１１の位置に適用される。以下、詳細に説明を行う。
【００２０】
ダイアライザー８は、透析液導出口９ａおよび透析液導入口９ｂを経由して透析装置本体１０と接続されており、透析液を用いて血液中の老廃物の除去、血液中の水分調整を行う。
【００２１】
図２から８を参照して、圧力測定部１００は、図１における脱血圧測定部位２、ＰＤ(Pre-dialyzer)圧測定部位５、および静脈圧測定部位１１のいずれかに設けられる。圧力測定部１００は、ハウジング１０１と、ハウジング１０１に接続される血液ライン２１０，２２０とを備える。
【００２２】
ハウジング１０１は、下部ハウジング１１０と、下部ハウジング１１０に嵌合する上部ハウジング１３０とを備える。下部ハウジング１１０には、血液が導入される入口ポート１１１と、血液が排出される出口ポート１１２とが設けられている。入口ポート１１１には血液ライン２１０が、出口ポート１１２には血液ライン２２０が各々挿入されている。
【００２３】
下部ハウジング１１０に設けられる入口ポート１１１および出口ポート１１２は同一直線上に設けられており、入口ポート１１１から出口ポート１１２へ向かってスムーズに血液が流れることができる。
【００２４】
ドーム形状の上部ハウジング１３０は、入口ポート１１１から出口ポート１１２に向かう方向にそって長く、非球面形状である。
【００２５】
下部ハウジング１１０下面には溝１１８が設けられており、溝１１８は入口ポート１１１から出口ポート１１２まで延びている。下部ハウジング１１０は、下に凸の形状である。
【００２６】
下部ハウジング１１０の取付面１１９には、可撓性膜１２０が当接している。可撓性膜１２０は、ハウジングにより構成されるチャンバ１０２を２つの空間に分割する。チャンバ１０２は血液が通過する血液室１５０と、圧力測定用の空気が存在する空気室１６０とに分割される。空気室が存在することで、可撓性膜の変位に伴い、空気室内の空気の膨張が期待でき、それ故、圧に応じた膜の大きな変位が期待できる。空気室の体積が少なければ少ないほど、圧に応じた膜の大きな変位は期待できないため、空気室の体積は０．５ｃｍ３以上であることが好ましい。空気室があることで目盛り間隔を広く取ることができ視認性が良くなる。空気室の容積は少なくとも０．５〜２ｃｍ３、好ましくは３〜８ｃｍ３、である。空気室の体積がこれ以上であれば視認性は増すがチャンバが大きくなり好ましくない。
【００２７】
血液室１５０には、入口ポート１１１から血液が導入され、血液室１５０の血液は出口ポート１１２から排出される。可撓性膜１２０は弾性を有しており下部ハウジング１１０に近づく方向に変形可能であるため、血液室１５０の体積は可変である。
【００２８】
空気室１６０は、可撓性膜１２０と上部ハウジング１３０との間の隙間に形成されている。可撓性膜１２０は、下部ハウジング１１０へ近づく方向に変形可能であるため、空気室１６０の体積も可変である。
【００２９】
ハウジング１０１は、ほぼ回転楕円体であるが、厚み方向と比較して横幅方向が大きい。図６においてハウジング１０１の平面は楕円を構成している。
【００３０】
可撓性膜１２０は取り付け面と平行な断面が楕円形のドーム形状であり、下部が係合部１２９である。係合部１２９は、取付面１１９に係合する。可撓性膜１２０をドーム形状とすることで、可撓性膜１２０で囲まれた血液室を血液がスムーズに流れることができる。可撓性膜１２０は、血液室の血液の流れに応じて変形する。これにより、空気室の体積が変化する。この例では可撓性膜１２０は上に凸の形状であるが、可撓性膜１２０が下に凸の形状であってもよい。さらに、可撓性膜１２０が平面形状であってもよい。
【００３１】
可撓性膜１２０が上に凸の場合には陰圧を測定するのに適した仕様となり、可撓性膜１２０が下に凸の場合には陽圧を測定するのに適した仕様となる。本実施例では、血液回路上において、ポンプ装置により加圧されるポンピングチューブ部分の上流側に、可撓性膜１２０が上に凸の圧力測定部が設けられ、ポンピングチューブ部分の下流側に、可撓性膜１２０が下に凸の圧力測定部を設けられる。
【００３２】
下部ハウジング１１０からは入口ポート１１１および出口ポート１１２が突出している。溝１１８は、可撓性膜１２０が血液の流れを遮ることを防止するためのものである。可撓性膜１２０が下部ハウジング１１０の内周面に密着したとしても、可撓性膜１２０と溝１１８との間に隙間が生じる。この隙間を血液が流れるため、血液の滞留を防止することができる。血液が滞留すると血小板が破壊されるため血液の滞留を抑制する必要がある。
【００３３】
下部ハウジング１１０の下面（底面）には、複数のリブが設けられていてもよい。このリブは、下部ハウジング１１０の強度を高めて下部ハウジング１１０の姿勢を安定させる働きを有する。
【００３４】
ハウジング１０１は、入口ポート１１１および出口ポート１１２を有する下部ハウジング１１０と、下部ハウジング１１０に嵌め合わせられる上部ハウジング１３０とを有する。ハウジング１０１が上部ハウジング１３０と下部ハウジング１１０の分割構造であるため、ハウジング１０１内に可撓性膜１２０を組み付けやすくなる。
【００３５】
下部ハウジング１１０には血液が流れる血液室１５０が設けられ、上部ハウジング１３０には、圧力を測定するための空気室１６０が設けられ、血液室１５０と空気室１６０とは可撓性膜１２０で仕切られている。なお、空気室１６０とトランスデューサーとを接続可能な構成としてもよいが、トランスデューサーとを接続可能とすると、圧力トランスデューサー側の体積を考慮にいれた目盛とせねばならないため、トランスデューサーとを接続不可能な構成である方が好ましい。
【００３６】
上部ハウジング１３０には表示部としての目盛１３９が設けられている。上部ハウジング１３０は透明または半透明であり、外部から上部ハウジング１３０内の可撓性膜１２０を視認することができる。−１００から−３００ｍｍＨｇまでの目盛１３９が上部ハウジング１３０に記されている。可撓性膜１２０が目盛１３９のいずれかに位置すると、ハウジング１０１内の陰圧がその目盛１３９の値となるように目盛１３９の位置が調整されている。
【００３７】
外部から視認した可撓性膜１２０が目盛１３９のいずれか（−１００から−３００ｍｍＨｇ）に位置することで、ハウジング１０１内の陰圧を認識することができる。
【００３８】
（実施の形態２）
図９から１２を参照して、実施の形態２では、可撓性膜１２０に表示部としての段差１２１が設けられている。段差１２１が設けられることにより、可撓性膜１２０が変形しやすくなる。さらに変形後の可撓性膜１２０の形状が安定する。段差１２１は可撓性膜１２０の係合部１２９と平行に延びるように形成されている。
【００３９】
１つの段差１２１が、たとえば−１００ｍｍＨｇの負圧で変形するようにすれば、変形する段差１２１の数から負圧の大きさを認識することができる。そのため、ハウジングに目盛を設けることなく負圧の大きさを認識することができる。
【００４０】
(実施の形態３）
図１３から１８を参照して、実施の形態３に従った圧力測定部１００では、上部ハウジング１３０および下部ハウジング１１０の両方に目盛１３９が設けられている。−１００から−３００ｍｍＨｇまでの陰圧側の目盛１３９が下部ハウジング１１０に記されている。＋１００から＋５００ｍｍＨｇまでの陽圧側の目盛１３９が上部ハウジング１３０に記されている。可撓性膜１２０が目盛１３９のいずれかに位置すると、ハウジング１０１内の圧がその目盛１３９の値となるように目盛１３９の位置が調整されている。
【００４１】
外部から視認した可撓性膜１２０が目盛１３９のいずれか（−３００から＋５００ｍｍＨｇ）に位置することで、ハウジング１０１内の圧を認識することができる。
【００４２】
（実施の形態４）
実施の形態４では、上部ハウジング１３０にはポート１４０が設けられており、ポート１４０にはライン１４１が接続されている。ライン１４１の先端は閉じられている。ライン１４１にクリップが取り付けられてもよい。クリップによりライン１４１を閉塞させることが可能である。本実施形態においては、ポート１４０及びライン１４１にて空気室が区画されている。このようにすること、上部ハウジング内に所定体積の空気室を設けずともよく、このためハウジングの高さを抑えることが可能となっている。
【００４３】
ドーム形状の上部ハウジング１３０は、入口ポート１１１から出口ポート１１２に向かう方向にそって長く、非球面形状である。上部ハウジング１３０には、入口ポート１１１から出口ポート１１２へ向かう方向と直交するように延在するポート１４０が設けられている。ポート１４０が入口ポート１１１および出口ポート１１２と非平行、かつ、取付面１１９と非平行である。
【００４４】
ハウジング１０１は、ほぼ回転楕円体であるが、厚み方向と比較して横幅方向が大きい。
【００４５】
ポート１４０は、空気室１６０に連通しているが、血液室１５０には連通していない。なお、目盛はハウジング或いは可撓性膜に設けられている。  図６においてハウジング１０１の平面は楕円を構成している。ポート１４０は楕円の長軸上で、かつ、楕円の端部近傍に設けられる。楕円の端部は楕円の中央と比較してハウジング１０１の強度が高いため、ハウジング１０１にヒビが発生することを防止できる。
【００４６】
ポート１４０と入口ポート１１１および出口ポート１１２とのなす角度は９０°であるが、この角度は限定されるものではなく、０°を超えていればよい。この実施の形態では入口ポート１１１側にポート１４０が設けられているが、出口ポート１１２側にポート１４０が設けられていてもよい。
【００４７】
ポート１４０およびライン１４１内の空間が空気室として作用する。その結果、ハウジング１０１内の空気室を小型化することができる。その結果、ハウジング１０１事態を小型化することが可能となる。
【００４８】
（実施の形態５）
図２３から２６を参照して、実施の形態５では、圧力測定部１００を構成するピローのハウジング１１００は、可撓性部材１１２０により構成されており、可撓性部材１１２０が露出している。可撓性部材１１２０内にチャンバ１１５０が形成されている。
【００４９】
可撓性部材１１２０内が陰圧であれば可撓性部材１１２０が内側に変形し、可撓性部材１１２０内が陽圧であれば可撓性部材１１２０が外側に変形する。
【００５０】
可撓性部材１１２０には、入口ポート１２１０および出口ポート１２２０が接続されている。入口ポート１２１０、チャンバ１１５０および出口ポート１２２０の順に血液が流れ、チャンバ１１５０の血液の圧力に応じて可撓性部材１１２０が変位する。入口ポート１２１０は入口側偏平部１１１３に設けられ、出口ポート１２２０は出口側偏平部１１１４に設けられる。
【００５１】
図２４で示すように、高さ方向を示す矢印１１２３に沿って第一部分１１２１、第一部分よりも変形しにくい第二部分１１２２が設けられる。チャンバ１１５０内の圧力が変化すると、第一部分１１２１は第二部分１１２２よりも先に変形する。第一部分１１２１は第二部分１１２２よりも高さ方向下側に位置する。
【００５２】
図２７から３１を参照して、ハウジング１１００がケース１３００に覆われて圧力測定部１００を形成する。ケース１３００には目盛１３０９が付されている。ケース１３００は透明または半透明であり、外部からケース１３００内の可撓性部材１１２０を視認することができる。−１００から−３００ｍｍＨｇまでの目盛１３０９が上部ハウジング１３０に記されている。可撓性部材１１２０が目盛１３０９のいずれかに位置すると、可撓性部材１１２０内の陰圧がその目盛１３０９の値となるように目盛１３０９の位置が調整されている。
【００５３】
外部から視認した可撓性部材１１２０が目盛１３９のいずれか（−１００から−３００ｍｍＨｇ）に位置することで、可撓性部材１１２０内の陰圧を認識することができる。なお、この実施の形態では陰圧側の目盛のみが付されているが、陽圧側の目盛がケース１３００に付されていてもよい。また、目盛と可撓性膜のどこを見るべきかを示すマークを可撓性膜に設けてもよい。
【００５４】
（実施の形態６）
図３２から３５を参照して、ハウジング２１１０は、血液が導入される入口側のジョイント部品２１１１と、血液が排出される出口側のジョイント部品２１１２とが接続されている。入口側のジョイント部品２１１１には血液ラインが、出口側のジョイント部品２１１２には血液ラインが各々挿入されている。なお、実施形態においては、一部材でハウジング２１１０が形成されているが、２つの半円筒状の部材を合わせてハウジング２１１０を形成してもよい。
【００５５】
ハウジング２１１０に設けられる入口側のジョイント部品２１１１および出口側のジョイント部品２１１２は同一直線上に設けられており、入口側のジョイント部品２１１１から出口側のジョイント部品２１１２へ向かってスムーズに血液が流れることができる。
【００５６】
円筒形状のハウジング２１１０は、入口側のジョイント部品２１１１から出口側のジョイント部品２１１２に向かう方向にそって長い。ハウジング２１１０には、入口側のジョイント部品２１１１から出口側のジョイント部品２１１２へ向かう方向と直交するように延在する圧力測定ポートが設けられていてもよい。
【００５７】
図３５を参照して、ハウジング２１１０内は空洞であり、チャンバを構成している。チャンバは、入口側のジョイント部品２１１１から出口側のジョイント部品２１１２まで延びている。ハウジング２１１０の両端には、入口側および出口側のジョイント部品２１１１，２１１２と係合する係合部２１１３，２１１４が設けられている。
【００５８】
ハウジング２１１０の内周面と可撓性膜２１２０との距離は、およそ０〜２mmの間にある。可撓性膜２１２０は、ハウジングにより構成されるチャンバ１０２を２つの空間に分割する。チャンバ１０２は血液が通過する血液室１５０と、圧力測定用の空気が存在する空気室とに分割される。
【００５９】
血液室１５０には、入口側のジョイント部品２１１１から血液が導入され、血液室１５０の血液は出口側のジョイント部品２１１２から排出される。可撓性膜２１２０は弾性を有しており内側に変形および外側に変形する方向に変形可能であるため、血液室１５０の体積は可変である。
【００６０】
空気室は、図３５では可撓性膜２１２０とハウジング２１１０との間にわずかな隙間に形成されている。可撓性膜２１２０は、内側方向に変形可能であるため、空気室の体積も可変である。
【００６１】
ハウジング２１１０には目盛２１１９が付されている。ハウジング２１１０は透明または半透明であり、外部からハウジング２１１０内の可撓性膜２１２０を視認することができる。−１００から−３００ｍｍＨｇまでの目盛２１１９がハウジング２１１０に記されている。可撓性膜２１２０が目盛２１１９のいずれかに位置すると、可撓性膜２１２０内の陰圧がその目盛２１１９の値となるように目盛２１１９の位置が調整されている。
【００６２】
外部から視認した可撓性膜２１２０が目盛２１１９のいずれか（−１００から−３００ｍｍＨｇ）に位置することで、可撓性膜２１２０内の陰圧を認識することができる。なお、この実施の形態では陰圧側の目盛のみが付されているが、陽圧側の目盛がハウジング２１１０に付されていてもよい。
【００６３】
（実施の形態７）
図３６で示すように、実施の形態７に従ったハウジング１１００では、表面が階段状に形成されている。第二部分１１２２では第一部分１１２１よりも厚みが大きい。高さ方向を示す矢印１１２３に沿って第一部分１１２１、第一部分よりも変形しにくい第二部分１１２２が設けられる。チャンバ１１５０内の圧力が変化すると、第一部分１１２１は第二部分１１２２よりも先に変形する。第一部分１１２１は第二部分１１２２よりも厚み方向下側に位置する。ハウジング１１００は、外面および内面に形成された略環状の複数のリブ１１２５を有し、複数のリブ１１２５は高さ方向に配列される。
【００６４】
可撓性のハウジング１１００は、高さ方向下方に従い、肉厚が大きくなるように形成されている。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６６】
この発明は、たとえば血液回路を有する透析機の分野で利用することができる。
【符号の説明】
【００６７】
１  血液導入口、２  脱血圧測定部位、３，６，１２  圧力トランスデューサー、４  血液ポンプ、５  圧測定部位、７ａ  ダイアライザー血液導入口、７ｂ  ダイアライザー血液導出口、８  ダイアライザー、９ａ  透析液導出口、９ｂ  透析液導入口、１０  透析装置本体、１１  静脈圧測定部位、１３  血液導出口、１００  圧力測定部、１０１，１１００，２１１０  ハウジング、１０２，１１５０  チャンバ、１１０  下部ハウジング、１１１，１２１０  入口ポート、１１２，１２２０  出口ポート、１１８  溝、１１９  取付面、１２０，２１２０  可撓性膜、１２１  段差、１２９，２１１３，２１１４  係合部、１３０  上部ハウジング、１３９，１３０９，２１１９  目盛、１４０  ポート、１４１  ライン、１５０  血液室、１６０  空気室、２１０，２２０  血液ライン、１１１３  入口側偏平部、１１１４  出口側偏平部、１１２０  可撓性部材、１３００  ケース、２１１１，２１１２  ジョイント部品。
【図１】
2017038803.tif 000003
【図２】
2017038803.tif 000004
【図３】
2017038803.tif 000005
【図４】
2017038803.tif 000006
【図５】
2017038803.tif 000007
【図６】
2017038803.tif 000008
【図７】
2017038803.tif 000009
【図８】
2017038803.tif 000010
【図９】
2017038803.tif 000011
【図１０】
2017038803.tif 000012
【図１１】
2017038803.tif 000013
【図１２】
2017038803.tif 000014
【図１３】
2017038803.tif 000015
【図１４】
2017038803.tif 000016
【図１５】
2017038803.tif 000017
【図１６】
2017038803.tif 000018
【図１７】
2017038803.tif 000019
【図１８】
2017038803.tif 000020
【図１９】
2017038803.tif 000021
【図２０】
2017038803.tif 000022
【図２１】
2017038803.tif 000023
【図２２】
2017038803.tif 000024
【図２３】
2017038803.tif 000025
【図２４】
2017038803.tif 000026
【図２５】
2017038803.tif 000027
【図２６】
2017038803.tif 000028
【図２７】
2017038803.tif 000029
【図２８】
2017038803.tif 000030
【図２９】
2017038803.tif 000031
【図３０】
2017038803.tif 000032
【図３１】
2017038803.tif 000033
【図３２】
2017038803.tif 000034
【図３３】
2017038803.tif 000035
【図３４】
2017038803.tif 000036
【図３５】
2017038803.tif 000037
【図３６】
2017038803.tif 000038